【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
圧力療法機器（１００）であって、
第１の端部（１１４）及び第２の端部（１１２）を有する圧力チャンバ（１１０）と、前記第１の端部（１１４）は、開口部（１２０）を画成する、
前記開口部（１２０）中に位置付けられ、及び周囲圧力と連通している弁（１９２）を含む膨張可能パッド（１４０）と、
前記開口部（１２０）を密閉するための、前記圧力チャンバ（１１０）の前記第１の端部（１１４）に固定された密閉部（１５０）と、
前記圧力チャンバ（１１０）に接続され、及び前記圧力チャンバ（１１０）内で陰圧を発生させるように構成されたポンプユニット（１９０）と
を備え、前記膨張可能パッド（１４０）は、前記ポンプユニット（１９０）によって前記圧力チャンバ内で発生させられた前記陰圧に応答して、前記開口部（１２０）を狭めるように膨張し、及び使用者の肢の周りを固定するように構成される、圧力療法機器（１００）。
【請求項２】
前記膨張可能パッド（１４０）は、前記ポンプユニット（１９０）による前記陰圧の発生が完了すると、過圧に起因して拡張するように構成される、請求項１に記載の圧力療法機器（１００）。
【請求項３】
前記膨張可能パッド（１４０）は、少なくとも前方空気チャンバ及び後方空気チャンバを含み、前記後方空気チャンバは、前記膨張可能パッド（１４０）の前記前方空気チャンバより大きい長さを有する、請求項１又は２に記載の圧力療法機器（１００）。
【請求項４】
前記ポンプユニット（１９０）は、通路（２１２）中に中央開口部（２１８）を画成する面取り座金（２１４）及び弾性被覆部（２１６）を含む第１の弁システム（２１０）を含み、密閉ユニット（２２０）は、前記中央開口部（２１８）を閉じるために、前記面取り座金（２１４）上に位置付けられている、請求項１〜３のうちのいずれか一項に記載の圧力療法機器（１００）。
【請求項５】
前記密閉部（１５０）は、第１の端部（１５２）及び第２の端部（１５４）を有する円錐台状の折り返し部を備え、前記第１の端部（１５２）は、前記第２の端部（１５４）の中心軸に対して偏心している中心軸を有する、請求項１〜４のうちのいずれか一項に記載の圧力療法機器（１００）。
【請求項６】
前記ポンプユニット（１９０）は、ピストン（２００）及びシリンダ（２０４）を含み、前記ピストン（２００）は、前記ピストン（２００）から前記シリンダ（２０４）に延在する羽根部（２０２）を備える、請求項１〜５のうちのいずれか一項に記載の圧力療法機器（１００）。
【請求項７】
前記圧力チャンバ（１１０）の外面は、調整ピース（１２８）に固定するための第１のロック要素（１２６）を設けられる、請求項１〜６のうちのいずれか一項に記載の圧力療法機器（１００）。
【請求項８】
前記圧力チャンバの前記第２の端部（１１２）は、平坦部（１３２）及び角部（１３４）を有する支持面（１３０）を備える、請求項１〜７のうちのいずれか一項に記載の圧力療法機器（１００）。
【請求項９】
前記支持面（１３０）の内部は、前記肢のうちの足を受け入れるための位置付け機構（１７２）を備える、請求項８に記載の圧力療法機器（１００）。
【請求項１０】
前記位置付け機構（１７２）は、前記足の土踏まずに対応する狭いアーチ形状を備える、請求項９に記載の圧力療法機器（１００）。
【請求項１１】
前記圧力チャンバ（１１０）の前記第１の端部（１１４）は、前記圧力チャンバ（１１０）の外面上に、前記膨張可能パッド（１４０）に固定するための少なくとも１つの第２のロック要素（１３６）を設けられる、請求項１〜１０のうちのいずれか一項に記載の圧力療法機器（１００）。
【請求項１２】
前記圧力チャンバ（１１０）は、前記第２の端部（１１２）から延在する調整可能な安定化構造（１７０）を設けられる、請求項１〜１１のうちのいずれか一項に記載の圧力療法機器（１００）。
【請求項１３】
前記圧力チャンバ（１１０）の前記第２の端部（１１２）は、複数のモジュールコンポーネント（１８０）を受け入れるように構成されたモジュール空間を有する支持面（１３０）を備える、請求項１〜１２のうちのいずれか一項に記載の圧力療法機器（１００）。
【請求項１４】
前記複数のモジュールコンポーネント（１８０）は、加熱ユニット、冷却ユニット、振動ユニット、及び／又は電気刺激ユニットを含む、請求項１３に記載の圧力療法機器（１００）。
【請求項１５】
前記圧力チャンバは、前記ポンプユニット（１９０）と連通している導管（１８８）を設けられる、請求項１〜１４のうちのいずれか一項に記載の圧力療法機器（１００）。
【請求項１６】
前記圧力チャンバ（１１０）の前方外面及び後方外面は、前記前方外面と前記後方外面との間の距離が前記圧力チャンバ（１１０）の高さに沿って前記圧力チャンバ（１１０）の前記第２の端部（１１２）に向かって連続的に増大するように、ある特定の角度を形成する、請求項１〜１５のうちのいずれか一項に記載の圧力療法機器（１００）。
【請求項１７】
前記前方外面は、真っ直ぐであり、及び前記圧力チャンバ（１１０）の前記開口部（１２０）から一定の角度で延在するように構成される、請求項１〜１６のうちのいずれか一項に記載の圧力療法機器（１００）。
【請求項１８】
前記膨張可能パッド（１４０）は、５〜２０ｍｍの距離で前記圧力チャンバ（１１０）の前記第１の端部（１１４）を越えて延在する、請求項１〜１７のうちのいずれか一項に記載の圧力療法機器（１００）。
【請求項１９】
前記密閉部（１５０）は、第１の端部（１５２）及び第２の端部（１５４）を備え、前記第２の端部（１５４）は、伸張構成で前記第２の端部（１５４）を前記第１の端部（１５２）に固定するための少なくとも１つの突起（１５６）を有する、請求項１〜１８のうちのいずれか一項に記載の圧力療法機器（１００）。
【請求項２０】
前記密閉部（１５０）は、第１の端部（１５２）及び第２の端部（１５４）を備え、前記第２の端部（１５４）は、前記第１の端部（１５２）の厚さより大きい厚さを有する、請求項１〜１９のうちのいずれか一項に記載の圧力療法機器（１００）。
【請求項２１】
前記密閉部（１５０）は、熱プレスシリコン、ＴＰＥ又はＴＢＥを備える、請求項１〜２０のうちのいずれか一項に記載の圧力療法機器（１００）。
【請求項２２】
前記密閉部（１５０）は、１〜２ｍｍの厚さを有する、請求項１〜２１のうちのいずれか一項に記載の圧力療法機器（１００）。
【請求項２３】
前記密閉部（１５０）は、０〜１５の範囲内のショアＡ数を有する材料を備える、請求項１〜２２のうちのいずれか一項に記載の圧力療法機器（１００）。
【請求項２４】
前記密閉部（１５０）は、５のショアＡ数を有する材料を備える、請求項２３に記載の圧力療法機器（１００）。
【請求項２５】
前記弁（１９２）は、周囲圧力への前記弁を開けるためのレバー（１９４）を備える、請求項１〜２４のうちのいずれか一項に記載の圧力療法機器（１００）。
【請求項２６】
前記ピストン（２００）の前記羽根部（２０２）は、弾性材料を備える、請求項６に記載の圧力療法機器（１００）。
【請求項２７】
前記ピストン（２００）の前記羽根部（２０２）は、２０〜１５０ｍｍＨｇの圧力に応答して曲がるように構成される、請求項６に記載の圧力療法機器（１００）。
【請求項２８】
前記密閉ユニット（２２０）は、前記密閉ユニット（２２０）が２０〜１５０ｍｍＨｇの圧力で前記中央開口部（２１８）から取り外されるように、所定の質量を有するように構成される、請求項４に記載の圧力療法機器（１００）。
【請求項２９】
前記密閉ユニット（２２０）は、鋼球を備える、請求項４に記載の圧力療法機器（１００）。
【請求項３０】
前記第１の弁システム（２１０）は、前記ポンプユニット（１９０）が非大気圧を発生させるように操作されたときに前記密閉ユニット（２２０）を変位させるように構成された梃子アーム（２２２）を設けられる、請求項４に記載の圧力療法機器（１００）。
【請求項３１】
前記面取り座金（２１４）は、それを通じて追加の開口部（２１５）を画成するように構成される、請求項４に記載の圧力療法機器（１００）。
【請求項３２】
前記弾性被覆部（２１６）は、前記追加の開口部（２１５）上に弁として構成される、請求項３１に記載の圧力療法機器（１００）。
【請求項３３】
圧力療法機器（１００）を使用する方法であって、前記方法は、
第１の端部（１１４）及び第２の端部（１１２）を有する圧力チャンバ（１１０）を取得することと、前記第１の端部（１１４）は、開口部（１２０）を画成し、
周囲圧力と連通している弁（１９２）を含む前記圧力チャンバ（１１０）の前記開口部（１２０）中に膨張可能パッド（１４０）を設けることと、
前記開口部（１２０）を密閉し、及び前記膨張可能パッド（１４０）を囲い込むための、前記圧力チャンバ（１１０）の前記第１の端部（１１４）に固定された密閉部（１５０）を設けることと、前記密閉部（１５０）は、開放構成であり、
前記密閉部（１５０）、前記膨張可能パッド（１４０）、及び前記圧力チャンバ（１１０）の前記開口部（１２０）を通して肢を挿入することと、
前記開口部（１２０）中で前記肢の周りの前記密閉部（１５０）を閉じることと、
前記膨張可能パッド（１４０）を膨張させ、及び前記開口部（１２０）中で前記肢を固定するために、前記圧力チャンバ（１１０）中で陰圧を発生させることと
を備える、方法。
【請求項３４】
前記方法は、
前記圧力チャンバ（１１０）中の前記陰圧を開放し、及び前記肢をマッサージするための過圧を前記膨張可能パッド（１４０）中で発生させること
を更に備える、請求項３３に記載の方法。
【請求項３５】
前記膨張可能パッド（１４０）は、少なくとも２つの空気チャンバを設けられる、請求項３３に記載の方法。
【請求項３６】
前記方法は、
前記膨張可能パッド（１４０）を収縮させるために、前記弁のレバー機構（１９４）を作動させること
を更に備える、請求項３５に記載の方法。